(57)【要約】【課題】表紙体の表又は裏表紙の少なくとも一方に見出し（背紙）を挿入するために、例えば透明又は半透明の樹脂製のポケットを形成するカバーを配し、そのカバーの範囲内に窓又は切り欠きを設けておくことにより、挿入されている見出し（背紙）を取りやすくするものであって、当該表紙体は、ファイル、バインダー、クリアブック等に共通して汎用的に使用可能であって、窓を設けたことにより見出し（背紙）を挿入しないときに中身が見える表紙体を簡単な構造で提供する。【解決手段】表表紙１と裏表紙２と背表紙３とを有するファイル又はバインダー又はクリアブック等に利用する表紙体Ａであって、表表紙１又は裏表紙２の少なくとも一方に表紙面に沿ってポケットを形成する樹脂製カバー４を配し、表表紙１又は／及び裏表紙２における前記樹脂カバー４で覆われた面の範囲内に窓６を設けた構成である。【選択図】図１
2004122485.tif 000002
【特許請求の範囲】
【請求項１】
表表紙と裏表紙と背表紙とを有するファイル又はバインダー又はクリアブック等に利用する表紙体であって、表表紙又は裏表紙の少なくとも一方に表紙面に沿ってポケットを形成する樹脂製カバーを配し、表表紙又は／及び裏表紙における前記樹脂カバーで覆われた面の範囲内に窓を設けたを特徴とする表紙体。
【請求項２】
表表紙又は／及び裏表紙の背表紙側に寄った位置から、表表紙又は裏表紙の少なくとも一方に表紙面に沿ってポケットを形成する樹脂製カバーを配し、表表紙又は／及び裏表紙における前記樹脂製カバーで覆われた面の範囲内の表紙縁部側に窓を設けたことを特徴とする請求項１記載の表紙体。
【請求項３】
表表紙と裏表紙と背表紙とを有する表紙体であって、表表紙又は裏表紙の少なくとも一方に表紙面に沿ってポケットを形成する樹脂製カバーを配し、表表紙又は裏表紙における前記樹脂製カバーで覆われた範囲内の表紙縁部側に（指が入るよう）切り欠きを設けたを特徴とするファイル、バインダー、クリアブック等の表紙体。
【請求項４】
表表紙と裏表紙と背表紙とを有する表紙体であって、ファイル又はバインダー又はクリアブック等にそれぞれ共通に使用できることを特徴とする請求項１から３いずれかに記載の表紙体。
【発明の詳細な説明】
【０００１】
【発明の属する技術分野】
本発明は、用紙類を保持するために使用するファイル、バインダー、クリアブック等に利用する表紙体に関するものである。
【０００２】
【従来の技術】
従来から表紙体に背紙（見出し）を挿入するための樹脂製のポケットを形成するカバーを設けたものは数多く見られた。
【０００３】
また、背表紙部に見出し（背紙）を取り出すため、又は指を入れてファイル等自体を引き出すために窓を設けることは実開昭５４−１２２９２９号等（例えば、特許文献１参照。）で従前から行われていた。
【０００４】
具体的には、ファイルやバインダーにおいては、背表紙部に窓を設けたものが従来からあった（例えば、非特許文献１参照。）が、クリアブックにおいては、このような窓を設けたものはみられなかった。
【０００５】
【特許文献１】
実開昭５４−１２２９２９号公報（第２頁、第３図）
【非特許文献１】
セキセイ株式会社ホームページ［平成１４年９月１２日検索］
インターネット　＜ＵＲＬ：　ＨＹＰＥＲＬＩＮＫ　ｈｔｔｐ：／／ｗｗｗ．ｓｅｄｉａ．ｃｏ．ｊｐ／　ｈｔｔｐ：／／ｗｗｗ．ｓｅｄｉａ．ｃｏ．ｊｐ／　＞
【０００６】
【発明が解決しようとする課題】
しかしながら、見出し（背紙）を挿入するために樹脂製のポケットを形成するカバーを設けたのみの表紙体において、見出し（背紙）を挿入して、挿入した見出しを（ここでは使用者によって当該ファイル等の見出しが記入されると思われる）取り出し難く、使い勝手が悪かった。
【０００７】
また、背表紙部に見出し（背紙）を取り出すため、又は指を入れてファイル等自体をキャビネット等から引き出すために窓を設けたときに、ファイルやバインダーにおいてはその機能を有するが、表紙体の厚み（背表紙の厚み）が薄い（小さい）ものについて、窓を設けることは困難であり、背表紙部裏面略全長に亘って透明包体を取り付けて使用するクリアブックにおいては、背表紙部に窓を設けることは不可能であった。
【０００８】
更に、通常のこの種の表紙体には、特別な商品を除き、見出し（背紙）が無いときは、内部にどのような書類が保持・収納されているか分からず、ファイル等を開いてからでないと内部に何を保持・収納したか分からなくなる虞がある。
【０００９】
そこで、本発明は、表紙体の表又は裏表紙の少なくとも一方に見出し（背紙）を挿入するために、例えば透明又は半透明の樹脂製のポケットを形成するカバーを配し、そのカバーの範囲内に窓又は切り欠きを設けておくことにより、挿入されている見出し（背紙）を取りやすくし、また、ファイル、バインダー、クリアブック等に共通して汎用的に使用可能であって、窓を設けたことにより見出し（背紙）を挿入しないときに中身が見える表紙体を簡単な構造で且つ安価で提供することを目的とする。
【００１０】
なお、本発明を完成させる過程において、表又は裏表紙に配した前記樹脂製カバーに窓又は切り欠きを設けた場合についても検討した。
【００１１】
しかしながら、この場合においても、見出し（背紙）の取り出しは可能となるが、窓又は切り欠きにおいて見出し（背紙）が露出するため、長期にわたって使用していると自然に汚れが生じ、見栄えが悪かった。
【００１２】
更に、当該窓や切り欠き部において、予め、見出し（背紙）を指で押し出したり、引っぱり出したりすることを前提にしているため、見出し（背紙）のデザインの制約をも受けることとなり、不都合な点があった。
【００１３】
【課題を解決するための手段】
そこで、本発明は、表表紙と裏表紙と背表紙とを有するファイル又はバインダー又はクリアブック等に利用する表紙体であって、表表紙又は裏表紙の少なくとも一方に表紙面に沿って例えば透明又は半透明のポケットを形成する樹脂製カバーを配し、表表紙又は／及び裏表紙における前記樹脂製カバーで覆われた面の範囲内に窓を設けたファイル又はバインダー又はクリアブック等を構成することとしたものである。
【００１４】
このような構成によると、表表紙又は裏表紙の少なくとも一方に見出し（背紙）を挿入するための樹脂製のポケットを形成するカバーを配し、その樹脂製カバーの範囲内に表紙体の肉厚方向に貫通させた窓を設けておくことにより、挿入された見出し（背紙）を引き出すときに、指等で押し出して見出し（背紙）を取りやすくなる。
【００１５】
また、この構成による表紙体を利用すると、見出し（背紙）を樹脂製カバー内に挿入していないとき、前記樹脂製カバーが透明又は半透明であるから、設けられた窓を通して、ファイル又はバインダー又はクリアブック等の内部に収納・保持された書類等を表紙を開かずとも外部から確認することができる。
【００１６】
更に、従来例にあるように背表紙に窓を設けないため、背表紙の厚みに拘らず、樹脂製カバーのサイズを自由に設定できるため、見出し（背紙）のデザインも自由にアレンジすることができる。
【００１７】
なお、この構成においては、樹脂製カバーに窓を設けるわけではないので、長期にわたって使用しても見出し（背紙）が汚れず、快適に使用できる。
【００１８】
表表紙又は／及び裏表紙の背表紙側に寄った位置から表表紙又は裏表紙の少なくとも一方に表紙面に沿って、例えば透明又は半透明のポケットを形成する樹脂製カバーを配し、表表紙又は／及び裏表紙における前記樹脂製カバーで覆われた面の範囲内の表紙縁側に表紙体の肉厚方向に貫通した窓を設けた表紙体であると、この窓を、表又は裏表紙の少なくとも一方に前記樹脂製のカバーを配した範囲内の縁部近傍側に配し、指が入るような大きさにしておくと、樹脂製カバーに挿入された見出し（背紙）を取り出す際に指で押し上げるようにすれば、より取り出しやすくなる。
【００１９】
表表紙又は裏表紙の少なくとも一方に表紙面に沿って、例えば透明又は半透明のポケットを形成する樹脂製カバーを配し、表表紙又は裏表紙における前記樹脂製カバーで覆われた範囲内の表紙縁部側に切り欠きを設けたファイル、バインダー、クリアブック等の表紙体であることにより、表又は裏表紙の少なくとも一方に前記樹脂製カバーを配した範囲内であって、かつ表紙体の縁部を指が入る程度の大きさにて切り欠いても、同様に見出し（背紙）を取り出しやすくなることになる。
【００２０】
本発明を利用した表紙体は、同一の表紙体を使ってファイル、バインダー、クリアブック等を構成することが出来る。
【００２１】
従来からある背表紙に窓や切り欠きを設けた構成の表紙体の場合、ファイルやバインダーにおいては閉じ具の交換さえできれば、表紙体を共通に使用することができたが、クリアブックにおいては、１０枚、２０枚という多くの透明包体を背表紙裏面に全長に亘って取り付けなければならず、このとき裏表紙に穴や切り欠きを設けることは不可能であったが、本発明を利用した表紙体を利用すれば、表又は裏表紙に窓や切り欠きを設けるため、背表紙部を使用することがないため、ファイルやバインダーやクリアブック等のどれにも利用することができ、外観上同一のデザインを施した表紙体を複数品種に展開・利用することができるものである。
【００２２】
また、表紙側に窓や切り欠きを設け、かつ透明又は半透明の樹脂製カバーを配することになり、見出し（背紙）を表に露出させることもないため、見出し（背紙）が汚れることもなく、見出し（背紙）のデザインも自由にアレンジすることができるようになった。
【００２３】
【発明の実施の形態】
以下、本発明の一実施の形態について図面を参照して説明する。
【００２４】
この表紙体Ａは、図１に示すように、主に樹脂素材から成る表表紙１、裏表紙２、背表紙３を連続してコの字型に形成し、図２に示すように表表紙１と背表紙３に亘って、長手方向の両側辺を表紙体Ａに溶着して取り付けることにより、透明又は半透明のポケットを形成する樹脂製のカバー４を表紙面に沿った位置に配して成るものである。
【００２５】
図３に示すように表表紙１から背表紙３に亘るように樹脂製カバー４を配し、その範囲内に表紙体Ａの肉厚方向に貫通させ背表紙３に掛からぬように窓６を設け、樹脂製カバー４内に収納された内容物について記載するために当該樹脂製カバー４と略同寸法の大きさの見出し（背紙）５を挿入する。
【００２６】
図４では、この窓６に指を入れて見出し（背紙）を押し出すように引き出した状態をあらわしている。
【００２７】
樹脂製カバー４は、図１の実施例のように長手方向の２辺のみを表紙体Ａに溶着等で取り付けてもよいし、３辺を取り付けてポケット状にしてもよい。
【００２８】
樹脂製カバー４は、図２の実施例のように表表紙１と背表紙３に亘るように配してもよいが、図１０のように表表紙１のみあるいは裏表紙２のみに配してもよく、また図１１のように表表紙１、背表紙３、裏表紙２全ての表紙面に亘るよう配してもよい。
【００２９】
窓６の大きさは、人の指が入る程度の大きさにするとよく（Ａ４サイズの書類を収納する表紙体において、人の指が入る程度の縦４０ミリ×横２０ミリ程度が好ましい。）、図１では長円形にてあらわしているが、その形状に特定されるものではない。
【００３０】
この表紙体Ａを利用すると、図５、図６、図７のように同じ表紙体Ａを使って、閉じ具を変えれば、また透明包体を取り付ければ、バインダー、ファイル、クリアブックとして共通に利用可能である。
【００３１】
更に、見出し（背紙）５の非挿入時において、窓６を設けておけば、図１のように表紙に穴が開いた状態になり、内部に収納した内容物についてファイル等を開かなくとも視認できる。
【００３２】
なお、図４において、長円形に破線であらわしたものは窓６の変形実施例であって、窓６の位置は長手方向中央に寄った位置に配されてもよいことを示している。
【００３３】
次に、この表紙体Ａの別の態様での実施例について説明する。
【００３４】
図８に示すように、主に樹脂素材から成る表表紙１、裏表紙２、背表紙３を連続してコの字型に形成し、図２に示すように表表紙１と背表紙３に亘って、長手方向の両側辺を表紙体Ａに溶着して取り付けることにより、透明又は半透明のポケットを形成する樹脂製のカバー４を表紙面に沿った位置に配して成るものである。
【００３５】
図８、図２に示すように、表表紙１と背表紙３に亘るように透明又は半透明のポケット状に形成した樹脂製カバー４の範囲内の表紙縁部に半円形状の切り欠き７を図２における窓６と同じ位置に背表紙側に掛からぬように設け、樹脂製カバー４内に収納された内容物について記載するために当該樹脂製カバー４と略同寸法の大きさの見出し（背紙）５を挿入するようになっている。
【００３６】
見出し（背紙）５は、図９にて示すように切り欠き７に指を入れて引き出して使用するものである。
【００３７】
樹脂製カバー４は、図８の実施例のように長手方向の２辺のみを表紙体Ａに溶着等で取り付けてもよいし、３辺を取り付けてポケット状にしてもよい。
【００３８】
樹脂製カバー４は、図２の実施例のように表表紙１と裏表紙３に亘るように配してもよいが、図１０のように表表紙１のみあるいは裏表紙３のみに配してもよく、また、図１１にあらわすように表表紙１、背表紙３、裏表紙２全ての表紙面に亘るように配してもよい。
【００３９】
樹脂製カバー４は、図３のように表紙側から見て全体の辺に亘るよう配されてもよいし、図１２のように半分の領域まででもよい。
【００４０】
樹脂製カバー４は、開口された反対側辺を開放してもよいし、完全にポケット状に３辺を閉塞させてもよい。
【００４１】
このとき切り欠き７の大きさは、人の指が入る程度の大きさにするとよく（Ａ４サイズの書類を収納する表紙体において、人の指が入る程度の縦４０ミリ×横２０ミリ程度が好ましい。）、その形状は、図８に示すように略Ｕ字型でもよいし、略Ｖ字型でもよく、形状を特定されるものではない。
【００４２】
また、この表紙体Ａを利用すると、図５〜７では窓を設けた例にて図示しているが、図８で示すように表紙体縁部に切り欠きと置き換えても同様にバインダー、ファイル、クリアブックとして共通に利用可能である。
【００４３】
更に、図８のように切り欠き７を設けても、図１のような窓６を設けたときと同様に内容物をファイルを開かなくても視認が可能となる。
【００４４】
本発明に係る表紙体Ａにおいては、窓６及び切り欠き７を表紙又は裏表紙面に設けるため、このような制約を受けることなく、ファイルやバインダーやクリアブック等に同じ表紙体として利用できる。
【００４５】
同じ表紙体Ａを利用してファイルやバインダーを構成するには、Ｚ式閉じ具やチューブ式閉じ具などの閉じ用治具を裏表紙裏面に取り付けて使用すればよく、クリアブックに利用する際には背表紙裏面を自由に使えるため、透明包体を障害なく取り付けることが可能となる。
【００４６】
もちろん本表紙体を利用できるアイテムは、ファイル、バインダー、クリアブックに限られるものではなく、例えば、背表紙裏面にアルバムの写真ホルダーやＣＤ−ＲＯＭ収納ポケット体等を取り付けて、アルバム、ＣＤ−ＲＯＭケースとして使用することも可能である。
【００４７】
よって、本表紙体Ａを利用すればファイルやバインダーやクリアブック等を同じ仕様で、かつ同じデザインにて展開が可能であり、同じ表紙体を大量に生産すれば、生産コストも軽減できる。
【００４８】
また、窓６、切り欠き７の配置は、表表紙１又は裏表紙２の背表紙側に寄った位置に配することが好ましい。
【００４９】
かつ、窓６及び切り欠き７は、表表紙１又は裏表紙２の縁側に寄った位置に配されることが好ましく、挿入された見出し（背紙）５がより取り出しやすくなる。
【００５０】
このことによって、樹脂製カバー４の範囲を小さくすることができ、コストの軽減が図れると共にすっきりとした外観の表紙体Ａを提供することができる。
【００５１】
【発明の効果】
本発明は、以上説明したような構成で実施され、以下に記載されるような効果を得ることができる。
【００５２】
すなわち、本発明は、表表紙と裏表紙と背表紙とを有するファイル又はバインダー又はクリアブック等に利用する表紙体であり、表表紙又は裏表紙の少なくとも一方に表紙面に沿ってポケット状の樹脂製カバーを配し、表表紙又は／及び裏表紙における前記樹脂製カバーで覆われた面の範囲内に窓を設けたファイル又はバインダー又はクリアブック等の表紙体であるから、表又は裏表紙の少なくとも一方に見出し（背紙）を挿入するための樹脂製のポケット状のカバーを配し、その樹脂製カバーの範囲内に肉厚方向に貫通した窓を設けておくことにより、挿入された見出し（背紙）を引き出すときに、指等で押し出して簡単に取り出しやすくなっている。
【００５３】
また、本発明を利用した表紙体を利用すれば、背表紙に窓を設けないため、背表紙の厚みに拘らず、樹脂製カバーのサイズを自由に設定でき、かつ、見出し（背紙）のデザインも自由にアレンジすることができる。
【００５４】
この構成によると、樹脂製カバーに開口を空けるわけではないので、ファイル又はバインダー又はクリアブックとして長期間使用しても見出し（背紙）が汚れることはなく快適にこれを利用できる。
【００５５】
表表紙又は／及び裏表紙の背表紙側に寄った位置から、表表紙又は裏表紙の少なくとも一方に表紙面に沿ってポケット状の樹脂製カバーを配し、表表紙又は／及び裏表紙における前記樹脂製カバーで覆われた面の範囲内の表紙縁部側に指が入る程度の大きさの窓を設けた表紙体であると、この窓を表又は裏表紙の少なくとも一方に樹脂製のポケット状のカバーを配した範囲内の縁部近傍側に配しておくと、樹脂製カバーに挿入された見出し（背紙）を取り出す際に指で押し上げるようにすれば、より取り出しやすくなる。
【００５６】
表表紙又は裏表紙の少なくとも一方に表紙面に沿ってポケット状の樹脂製カバーを配し、表表紙又は裏表紙における前記樹脂製カバーで覆われた範囲内の表紙縁部側に切り欠きを設けたファイル、バインダー、クリアブック等の表紙体であれば、表紙体の縁部を指が入る程度の大きさにて切り欠いた際には、同様に見出し（背紙）を指で引っ張り出しやすくなる。
【００５７】
更に、表紙体に窓又は切り欠きを設けることにより、見出し（背紙）を入れていないときにおいて、内部の収納物を表紙を開けることなく確認することができる。
【００５８】
本発明による表紙体は、同じ表紙体をファイル、バインダー、クリアブック等に共通に利用可能であるため、同じデザインの表紙を使って当該商品群に展開可能であって、同じ表紙体を大量に生産し、当該商品群に展開することにより生産コストをも軽減できる。
【図面の簡単な説明】
【図１】本発明の一実施形態を示す表紙体の斜視図
【図２】表紙体の一実施例を示す平面図
【図３】表紙体の一実施例を示す正面図
【図４】表紙体から見出し（背紙）を取り出す状態を示す、表紙裏面側から見た参考図
【図５】開いた表紙体に、Ｚ式ファイル用の閉じ具を取り付けた状態の実施例
【図６】開いた表紙体にチューブ式ファイル用の閉じ具を取り付けた状態の実施例
【図７】開いた表紙体に、クリアブック用の透明包体を取り付けた状態の実施例
【図８】本発明の別の一実施形態を示す表紙体の斜視図
【図９】表紙体から見出し（背紙）を取り出す状態を示す、表紙裏面側から見た参考図
【図１０】表紙体の一構成を示す平面図
【図１１】表紙体の一実施例を示す平面図
【図１２】表紙体の一実施例を示す正面図
【図１３】従来例を示す参考斜視図
【符号の説明】
Ａ…表紙体
１…表表紙
２…裏表紙
３…背表紙
４…樹脂製カバー
５…見出し（背紙）
６…窓
７…切り欠き
【図１】
2004122485.tif 000003
【図２】
2004122485.tif 000004
【図３】
2004122485.tif 000005
【図４】
2004122485.tif 000006
【図５】
2004122485.tif 000007
【図６】
2004122485.tif 000008
【図７】
2004122485.tif 000009
【図８】
2004122485.tif 000010
【図９】
2004122485.tif 000011
【図１０】
2004122485.tif 000012
【図１１】
2004122485.tif 000013
【図１２】
2004122485.tif 000014
【図１３】
2004122485.tif 000015